(57)【特許請求の範囲】
【請求項１】
本体ケース内に配置される基板と、
この基板の上方に配置される台座と、
この台座に取り付けられるＬＣＤパネルと、
前記台座に前記ＬＣＤパネルの上に重ねるようにして取り付けられるタッチパネルと、
前記ＬＣＤパネルから延長され、前記基板に形成されたパターン配線に接続するためのＬＣＤ用フレキシブル基板と、
前記タッチパネルから延長され、前記基板に形成されたパターン配線に接続するためのタッチパネル用フレキシブル基板とを具備し、
前記台座の端部に突部を突設して当該突部にガイドを形成し、前記ＬＣＤ用フレキシブル基板およびタッチパネル用フレキシブル基板のうち少なくとも一方を、前記ガイドに通すと共に、前記突部の前記ガイドを囲む周囲部のうち、前記ガイドに通された前記一方のフレキシブル基板と前記ガイドの近傍に配置される他の部品との間に位置する部分を前記台座よりも前記基板側に突出させたことを特徴とする携帯型情報端末。
【請求項２】
前記ガイドは、通されるフレキシブル基板の幅および厚さより若干大きい縦横寸法の通し孔からなることを特徴とする請求項１記載の携帯型上方端末。
【発明の詳細な説明】
【０００１】
【発明の属する技術分野】
本発明はＬＣＤパネルおよびタッチパネルを台座に取り付けて基板の上方に配置する構成の携帯型情報端末に関する。
【０００２】
【発明が解決しようとする課題】
近年、種々の携帯型情報端末が提供されてきているが、それらの端末の多くは、ＬＣＤパネルやタッチパネルを有している。これらの情報端末では、ＬＣＤパネル、或いはタッチパネルを基板に搭載された電気電子部品に接続するためのケーブルとしてフレキシブル基板を採用し、小形化および組付性の向上を図っている。
【０００３】
その一例として、特開平１０−３０１５０４号公報に開示されたものがある。これの基本的な技術内容は、図６に示すように、例えばタッチパネル１に接続されたフレキシブル基板２をプリント基板３に接続し、その後に台座４をプリント基板３上に固定し、続いて台座４にタッチパネル１を装着する、というものである。
【０００４】
しかしながら、台座４をプリント基板３に固定し、台座４上にタッチパネル１を取り付けた状態では、フレキシブル基板２の長さに余裕があって弛み部分が生ずるため、その後に別の部品５をプリント基板３上に固定する際、そのフレキシブル基板２の弛み部分を基板２と部品５との間に挟み付けてしまい、断線させたりするという不具合を生ずるおそれがある。
本発明は上記の事情に鑑みてなされたもので、その目的は、ＬＣＤパネル或いはタッチパネルから延長されたフレキシブル基板が部品に挟み付けられるおそれのない携帯型情報端末を提供するにある。
【０００５】
【課題を解決するための手段】
上記の目的を達成するために、請求項１の発明は、台座にガイドを形成し、ＬＣＤ用フレキシブル基板およびタッチパネル用フレキシブル基板のうち少なくとも一方をガイドに通したので、フレキシブル基板の余裕部分を他の部品に挟まれないような形態に保持することができる。
請求項２の発明では、ガイドは、通されるフレキシブル基板の幅および厚さより若干大きい縦横寸法の通し孔からなるので、フレキシブル基板の保持が確実で、しかもフレキシブル基板をガイドに通す作業を容易に行うことができる。
【０００６】
【発明の実施の形態】
以下、本発明の一実施例を図１〜図５を参照しながら説明する。
図５は本発明に係る携帯型情報端末の外観を示している。同図のように、情報端末は、片手で保持可能な大きさに形成された本体１１を主体とし、その表面にはタッチパネル１２が設けられている。このタッチパネル１２の直ぐ下側には、図４に示すように表示器としてＬＣＤパネル１３が設けられている。なお、タッチパネル１２の押圧操作位置はＬＣＤパネル１３によって検出され、本体１１に内蔵されたパソコンシステムはその押圧操作位置に応じた動作を実行するように構成されている。
【０００７】
タッチパネル１２の図中手前側の縁部には、スイッチ機能を表した複数個のアイコン１４ａを印刷したシール１４が張り付けられている。上記アイコン１４ａのうち、左端のアイコンはメニュースイッチとして機能し、このアイコンをタッチペン１５によって押圧操作すると、ＬＣＤパネル１３に各種のメニューがリストアップされる。そして、ＬＣＤパネル１３に表示されたメニューから所望のメニュー部分をタッチペン１５によって押圧操作すると、そのメニューが選択されるようになっている。
【０００８】
また、本体１１の図５で手前側の端面部には図示しない携帯電話機（ＰＨＳを含む概念）に接続される通信ケーブル用のターミナルボックス１６が設けられている。そして、各種メニューのうちから、インターネットや電子メールを選択すると、携帯電話機を介してインターネットにダイヤルアップ接続できるように構成されており、そのインターネットを介して各種のサーバに接続して種々の情報を取得したり、他の携帯電話機やパソコンなどに電子メールを送信したりすることができるように構成されている。
【０００９】
また、本体１１は、位置情報取得手段としてのＧＰＳ受信ユニットを内蔵しており、地図メニューを選択すると、携帯電話機を地図サーバにダイヤルアップ接続し、ＧＰＳ受信ユニットが受信したＧＰＳ用の人工衛星からの位置情報を地図サーバに送信するように構成されている。そして、地図サーバは情報端末側から送信されたＧＰＳ用の人工衛星からの位置データを解析して情報端末の現在地を取得し、その現在地を中心とした所定範囲の地図データを携帯電話機に送信する。すると、情報端末のＬＣＤパネル１３に、現在地周辺の地図が表示されるようになっている。
【００１０】
ここで、以下に情報端末の前後、上下、左右の方向について言う場合は、本体１１を平坦面の上に置いてターミナルボックス１６を手前側にした場合を基準にしたものとする。さて、本体１１は、プラスチック製の下ケース１７と上ケース１８とからなる。この本体１１内には、図４に示すように、メイン基板１９が取り付けられていると共に、このメイン基板１９の後端側の下側および上側に位置してＲＯＭ基板２０およびＲＦ基板２１が取り付けられている。上記メイン基板１９には、特に符号を付さないが、マイコンシステムを構成する電子部品、タッチパネル１２のマトリックス電極への給電回路、ＬＣＤパネル１３の駆動回路などを構成する電子部品が搭載されている。また、ＲＯＭ基板２０にはマイコンシステムのＲＯＭなどが搭載され、ＲＦ基板２１には前述のＧＰＳ受信ユニットが搭載されている。なお、メイン基板１９、ＲＯＭ基板２０、ＲＦ基板２１はプリント配線基板からなるもので、搭載した電子部品を接続する等のパターン配線が形成されている。
【００１１】
メイン基板１９の上方でＲＦ基板２１の直ぐ前（図４で左側）には、平板状の台座２２が配設されている。この台座２２はプラスチック製で、段付きの矩形凹状に形成されている。そして、台座２２内に前記タッチパネル１２とＬＣＤパネル１３とが配設されている。この場合、タッチパネル１２は周縁部を下側の段部２２ａに載置するようにして台座２２内に収容され、ＬＣＤパネル１３は周縁部を上側の段部２２ｂに載置するようにして台座２２内に収容されている。そして、タッチパネル１２およびＬＣＤパネル１３は、周縁部を図示しない両面接着テープによって台座２２の上下の各段部２２ａおよび２２ｂに固定されている。なお、下ケース１７の内部には、高さの異なる複数個のボス１７ａが形成されており、これらボス部１７ａに前記ＲＯＭ基板２０、メイン基板１９、ＲＦ基板２１、台座２２がねじによって固定されている。
【００１２】
さて、タッチパネル１２には、図２および図３に示すように、後端部左寄りの部位においてフレキシブル基板（タッチパネル用フレキシブル基板）２３が接続され、また、ＬＣＤパネル１３には、その右端部中央付近においてフレキシブル基板２４（ＬＣＤ用フレキシブル基板）が接続されている。これらフレキシブル基板２３および２４は、タッチパネル１２およびＬＣＤパネル１３をメイン基板１９のパターン配線に接続するためのフラットケーブルとして機能するもので、先端部にはメイン基板１９に搭載されたソケット２５および２６に差し込み接続されるプラグ２３ａおよび２４ａが設けられている。
【００１３】
一方、台座２２の後端部左寄りの部位には、突部２７が突設され、この突部２７にガイドとしての第１の通し孔２８が形成されている。また、台座２２の右側縁近くの中央部には、ガイドとしての第２の通し孔２９が形成されている。そして、タッチパネル１２のフレキシブル基板２３は、図１および図２に示すように、第１の通し孔２８に通されて下方に突出し、その先端のプラグ２３ａがメイン基板１９のソケット２５に接続されている。また、ＬＣＤパネル１３のフレキシブル基板２４は、第２の通し孔２９に通されて下方に突出し、その先端のプラグ２４ａがメイン基板１９のソケット２６に接続されている。ここで、第１および第２の通し孔２８および２９の縦および横の寸法は、それぞれフレキシブル基板２３および２４の厚さおよび幅の寸法より若干大きい程度に定められ、これによってフレキシブル基板２３および２４を第１および第２の通し孔２８および２９に通し易く、且つ通した後はフレキシブル基板２３および２４が動き難くなって正規の位置に保持されるようにしている。
【００１４】
なお、図４において、３０はＲＦ基板２１に搭載された部品を被うカバー、３１は下ケース１７の裏側に形成された電池室（図示せず）に収納される電池、３２は電池室の蓋、３３は下ケース１７の側部に取り付けられる押釦である。
【００１５】
次に上記構成において、メイン基板１９を下ケース１７に取り付けた後、台座２２を下ケース１７に取り付ける場合の手順を説明する。まず、台座２２には、予めＬＣＤパネル１３とタッチパネル１２とが両面テープによって接着されているものとする。
【００１６】
台座２２を下ケース１７に取り付けるに先立ち、タッチパネル１２およびＬＣＤパネル１３のフレキシブル基板２３および２４を第１および第２の通し孔２８および２９に通して台座２２の下方に引き出す。そして、図２に示すように、台座２２の左側部を、先に下ケース１７に取り付けられているメイン基板１９の左側縁に近付けた状態にして両フレキシブル基板２３および２４のプラグ２３ａおよび２４ａをメイン基板１９のソケット２５および２６に差し込み接続する。
【００１７】
そして、台座２２を下ケース１７に取り付ける。このとき、両フレキシブル基板２３および２４は図１に示すように、メイン基板１９と台座２２との間の隙間内に収納するようにする。この後、下ケース１７にＲＦ基板２１などを下ケース１７に取り付ける。このＲＦ基板２１などの取り付け時において、両フレキシブル基板２３および２４は台座２２の下側に収納された状態になっているので、特に、台座２２に近接して取り付けられるＲＦ基板２１の近くに位置するＬＣＤパネル１３側のフレキシブル基板２３がＲＦ基板２１とメイン基板１９上に搭載された部品との間に挟み付けられるおそれがない。
【００１８】
このように、特にＬＣＤパネル１３側のフレキシブル基板２３は、図２に示すような状態にしてソケット２５に接続するため、余裕長が長く取られているが、この余裕部分は第１の通し孔２８によって台座２２の下側の隙間内に収容された状態に保持されるので、当該余裕部分がその後に取り付けられる部品に挟み付けられたりすることを効果的に防止でき、断線事故などを未然に防止することができるものである。
【００１９】
なお、本発明は上記し且つ図面に示す実施例に限定されるものではなく、以下のような変更或いは拡張が可能である。
余裕長の短いＬＣＤパネル１３のフレキシブル基板２４については、他部品に挟まれる可能性が低いので、特に通し孔２９を設けて該通し孔２９に通す必要はない。
ガイドとしては通し孔２８、２９に限られず、フレキシブル基板２３、２４を保持できる形態のものであれば良い。
【図面の簡単な説明】
【図１】本発明の一実施例を示す要部の縦断側面図
【図２】フレキシブル基板をソケットに接続する状態を示す要部の斜視図
【図３】全体の分解斜視図
【図４】全体の縦断側面図
【図５】全体の外観斜視図
【図６】従来構成を示す図１相当図
【符号の説明】
図中、１１は本体、１２はタッチパネル、１３はＬＣＤパネル、１７は下ケース、１９はメイン基板、２０はＲＯＭ基板、２１はＲＦ基板、２３、２４はフレキシブル基板、２５、２６はソケット、２８、２９は第１、第２の通し孔（ガイド）である。
【図１】
0004055311.tif 000002
【図２】
0004055311.tif 000003
【図３】
0004055311.tif 000004
【図４】
0004055311.tif 000005
【図５】
0004055311.tif 000006
【図６】
0004055311.tif 000007